(57)【要約】【課題】  ランニングコストをかけずに、水位を下げても皮脂汚れなどの油汚れの洗浄力を向上し、且つ洗いムラ悪化を防ぐこと。【解決手段】  洗濯槽内に洗濯水が散布される複数の吐出口を有し、複数の吐出口は、少なくとも、洗濯槽中央部へ洗濯水を散布する第１の吐出口と、洗濯槽端部へ洗濯水を散布する第２の吐出部と、を有する構成とする。【選択図】  図５
2019201755.tif 000002
【特許請求の範囲】
【請求項１】
洗濯槽内に洗濯水が散布される複数の吐出口を有し、
前記複数の吐出口は、少なくとも、前記洗濯槽中央部へ前記洗濯水を散布する第１の吐出口と、前記洗濯槽端部へ前記洗濯水を散布する第２の吐出部と、を有することを特徴とする散水装置。
【請求項２】
請求項１記載の散水装置であって、
前記複数の吐出口は、前記洗濯槽中央部と前記洗濯槽端部間に前記洗濯槽を散布する第３の吐出口を有し、
前記第１の吐出口と前記第２の吐出口と前記第３の吐出口から散布される前記洗濯水は、略直線上に散布される散水装置。
【請求項３】
請求項１又は請求項２に記載の散水装置であって、
前記第２の吐出口は、前記第１の吐出口より前記洗濯槽の壁側に設けられた、散水装置。
【請求項４】
請求項２又は請求項３に記載の散水装置であって、
前記第２の吐出口と前記第３の吐出口と前記第１の吐出口は、前記洗濯槽端部から前記洗濯槽中央部に向かって略直線上に設けられた、散水装置。
【請求項５】
請求項１乃至４のいずれか１項に記載の散水装置であって、
前記第１の吐出口は複数有する、散水装置。
【請求項６】
請求項１乃至５のいずれか１項に記載の散水装置であって、
前記第１の吐出口の先に、吐出された洗濯水が流れる流路が形成された壁を有する散水装置。
【請求項７】
外槽と、
前記外槽内に設けた洗濯槽と、
前記洗濯槽内に洗濯水を散水する散水装置と、を有し、
前記散水装置は、複数の吐出口を有し、
前記複数の吐出口は、少なくとも、前記洗濯槽中央部へ前記洗濯水を散布する第１の吐出口と、前記洗濯槽端部へ前記洗濯水を散布する第２の吐出部と、を有することを特徴とする洗濯機。
【請求項８】
請求項７記載の洗濯機であって、
前記複数の吐出口は、前記洗濯槽の深さ方向の半分の位置より給水側に設けられた洗濯機。
【請求項９】
請求項７又は８に記載の洗濯機であって、
前記複数の吐出口は、前記洗濯槽中央部と前記洗濯槽端部間に前記洗濯槽を散布する第３の吐出口を有し、
前記第１の吐出口と前記第２の吐出口と前記第３の吐出口から散布される前記洗濯水は、略直線上に散布される洗濯機。
【請求項１０】
請求項７乃至９のいずれか１項に記載の洗濯機であって、
前記第２の吐出口は、前記第１の吐出口より前記洗濯槽の壁側に設けられた、洗濯機。
【請求項１１】
請求項７乃至１０のいずれか１項に記載の洗濯機であって、
前記第２の吐出口と前記第３の吐出口と前記第１の吐出口は、前記洗濯槽端部から前記洗濯槽中央部に向かって略直線上に設けられた、洗濯機。
【請求項１２】
請求項７乃至１１のいずれか１項に記載の洗濯機であって、
前記第１の吐出口は、複数有する、洗濯機。
【請求項１３】
請求項７乃至１２のいずれか１項に記載の洗濯機であって、
前記第１の吐出口の先に、吐出された洗濯水が流れる流路が形成された壁を有する洗濯機。
【発明の詳細な説明】
【技術分野】
【０００１】
本発明は、水槽内に水を散水する散水装置、及び、それを用いた洗濯機に関する。
【背景技術】
【０００２】
皮脂汚れ（油汚れ）の洗浄力をあげるには、洗剤濃度をあげた高濃度洗浄が有効である。
【０００３】
従来、洗剤濃度をあげるには、洗剤量を増やす、又は水量を下げるといった方法以外に、機械力をあげる、運転時間を延ばす方法などがあるが、いずれもランニングコストがかかる。
【０００４】
例えば、特許文献１には、洗濯物の量が多い場合でも高濃度の洗剤液で生成した泡を洗濯物全体に行き渡らせて、洗いムラなく洗浄効果を高めることが開示されている。
【先行技術文献】
【特許文献】
【０００５】
【特許文献１】特開２０１６−２０２５２５号公報
【発明の概要】
【発明が解決しようとする課題】
【０００６】
ランニングコストをかけずに皮脂汚れの洗浄力を向上させるためには、洗剤量を変更せず水位を下げる必要がある。しかしながら、洗濯物の量が多くなるほど洗濯物の上部と下部で含水に差が生じてしまい布動き、洗いムラの悪化につながってしまう。
【０００７】
そこで、本発明の課題は、ランニングコストをかけずに、水位を下げても皮脂汚れなどの油汚れの洗浄力を向上し、且つ洗いムラ悪化を防ぐことが可能な散水装置を提供することにある。
【課題を解決するための手段】
【０００８】
上記課題を解決するため、本発明の散水装置は、洗濯槽内に洗濯水が散布される複数の吐出口を有し、複数の吐出口は、少なくとも、濯槽中央部へ洗濯水を散布する第１の吐出口と、洗濯槽端部へ洗濯水を散布する第２の吐出部と、を有する構成とする。
【０００９】
また、本発明の洗濯機は、外槽と、外槽内に設けた洗濯槽と、洗濯槽内に洗濯水を散水する散水装置と、を有し、散水装置は、複数の吐出口を有し、複数の吐出口は、少なくとも、洗濯槽中央部へ洗濯水を散布する第１の吐出口と、洗濯槽端部へ洗濯水を散布する第２の吐出部と、を有する構成とする。
【発明の効果】
【００１０】
本発明によれば、ランニングコストをかけずに、水位を下げても皮脂汚れなどの油汚れの洗浄力を向上でき、且つ洗いムラ悪化を防ぐことが可能な散水装置を提供することができる。
【図面の簡単な説明】
【００１１】
【図１】本発明の実施形態に係る洗濯機の構成を示す図である。
【図２】外槽カバーに組み付けた散水装置の正面図である。
【図３】外槽カバーから散水装置を取り外した構成を示す図である。
【図４】洗濯兼脱水槽と散水装置との関係を示す断面図である。
【図５】散水装置から洗濯兼脱水槽内への洗濯水の流れを示す側面断面図である。
【図６】散水装置の給水口の一例を示す図である。
【図７】散水装置の給水口の他の例を示す図である。
【図８】散水装置から洗濯兼脱水槽内への洗濯水の流れを示す他の側面断面図である。
【図９】散水装置の給水口に壁を付与した一例を示す図である。
【発明を実施するための形態】
【００１２】
次に、本発明の実施形態について、適宜図面を参照しながら詳細に説明する。
【００１３】
本発明の実施形態に係る洗濯機は、後記する散水装置を取り付けたものであり、以下では、洗濯機の全体構成について説明した後に、本実施形態の散水装置について詳細に説明する。
【００１４】
＜洗濯乾燥機＞
図１は、本発明の実施形態に係る洗濯機（洗濯乾燥機）の構成説明図である。
【００１５】
図１に示すように、洗濯乾燥機１は、洗濯槽である洗濯兼脱水槽８（内槽）の回転軸が略鉛直方向の縦型式洗濯機（縦型式洗濯乾燥機）である。この洗濯乾燥機１の筐体２の上部には上面カバー３が設けられており、上面カバー３には外蓋４が設けられている。外蓋４は、後ろ側に開くことにより、開口部５を開口し、洗濯兼脱水槽８に衣類等（洗濯物）が出し入れ可能になっている。
【００１６】
上面カバー３の奥側（後側）には、水道栓からの給水ホース接続口６及び風呂の残り湯を吸引する吸水ホース接続口（図示省略）が設けられている。
【００１７】
洗濯乾燥機１は、筐体２内に、洗濯兼脱水槽８、外槽９、駆動装置１０、洗剤・仕上剤を投入する洗剤投入装置１１、給水ユニット７、乾燥ダクト１２等を備えている。
【００１８】
洗濯兼脱水槽８は、有底円筒形状を呈し、ステンレス鋼板等で形成された胴板８ａを有している。胴板８ａには、通水及び通風のための多数の貫通孔８ａ１（一部のみ図示）が形成されている。洗濯兼脱水槽８は、内側底面に回転翼８ｂを備える。
【００１９】
外槽９は、有底円筒形状を呈し、洗濯兼脱水槽８を同軸上に内包し、その上部に外槽カバー９ａを備えて構成されている。洗濯乾燥機１のユーザーは、外蓋４及び外槽カバー９ａの蓋部材９bを開くことにより、開口部５から洗濯兼脱水槽８内に洗濯物の出し入れを行うことができる。
【００２０】
駆動装置１０は、外槽９の底面の外側中央に配置されている。この駆動装置１０は、モータ１０ａとクラッチ機構１０ｂとを有し、駆動装置１０の回転軸１０ｃが外槽９を貫通し、洗濯兼脱水槽８及び回転翼８ｂと結合するように構成されている。クラッチ機構１０ｂは、モータ１０ａの回転動力を洗濯兼脱水槽８及び回転翼８ｂの少なくともいずれかに伝達する機能を有する。
【００２１】
給水ユニット７は、上面カバー３の奥側に設けられる。給水ユニット７は、給水ホース接続口６からの水道水を洗剤投入装置１１、水冷除湿機構(図示省略)へ給水する。また、給水ユニット７は、給水ホース接続口６からの水道水や風呂水を、注水ホース１３を介して、外槽９と洗濯兼脱水槽８の間から外槽９内に注水することができる。また、給水ユニット７は、給水ホース接続口６からの水道水を、洗浄ホース１４を介して洗濯兼脱水槽８の上部に注水することができる。
【００２２】
外槽９の底面に設けられた落込部１５は、下部連通管１６と連通している。下部連通管１６は、排水弁１７を介して、洗濯水排水路１８と連通するように接続されている。
【００２３】
そして、この洗濯水排水路１８には、機外に排水を送り出す図示しない排水ホースが接続されている。
【００２４】
ちなみに、排水弁１７を閉弁することにより、外槽９内に洗い水やすすぎ水を貯水可能となる。また、排水弁１７を開弁することにより、外槽９内の水（洗い水、すすぎ水）を
洗濯水排水路１８を介して、洗濯乾燥機１の機外へ排水することができる。
【００２５】
乾燥ダクト１２は、筐体２の背面内側に縦方向に設置され、ダクト下部は外槽９の落込部１５とゴム製の蛇腹管１９によって接続されている。乾燥ダクト１２内には、水冷除湿機構（図示省略）が内蔵されており、給水ユニット７は、この水冷除湿機構に冷却水（水道水）を供給する。冷却水は乾燥ダクト１２の壁面（ステンレス製等の金属プレート）を伝わって流下して落込部１５に入り、下部連通管１６、洗濯水排水路１８を通り機外へ排出される。
【００２６】
乾燥ダクト１２の出口はファン２０の吸気口と接続され、ファン２０の出口はヒータ２１と接続されている。ヒータ２１の出口は、送風ダクト２２及びゴム製の蛇腹管２３を介して、吹出ノズル２４と接続されている。
【００２７】
つまり、ファン２０が駆動すると、外槽９内の空気が落込部１５を介して乾燥ダクト１２に流れ込む。そして、乾燥ダクト１２で水冷除湿された空気は、ファン２０から吐出され、次いでヒータ２１で加熱された後、高温低湿の風となって吹出ノズル２４から洗濯兼脱水槽８内に向けて吹き出される。
【００２８】
なお、図示していないが、下部連通管１６と排水弁１７の間には、洗濯水の温度や、乾燥運転中に洗濯水排水路１８から機外に排出される空気の温度を検出する温度センサが設けられている。
【００２９】
洗濯兼脱水槽８は、胴板８ａの上端縁部に合成樹脂等で形成されたバランスリング（流体バランサともいう）８ｃを備えている。このバランスリング８ｃは、その内部に比重の大きな流体を封入して構成され、洗濯兼脱水槽８の回転時に洗濯物の偏り等によって偏心が生じたときに、バランスリング８ｃ内での流体の移動によって偏心をキャンセルし、回転のバランスを維持する働きを有する。
【００３０】
外槽カバー９ａは、略半円形状の投入口を有し、外槽９の上端縁部に取り付けられる。なお、投入口には、開閉可能に取り付けられた蓋部材が設けられている。また、図示しないが、外槽カバー９ａの奥側（後側）には、蛇腹管２３が接続される接続口、後記する槽洗浄用の洗浄ホース１４が接続される接続口が設けられている。
【００３１】
外槽カバー９ａには、散水装置２５が複数のねじを介して外槽カバー９ａの下面に固定されている。この散水装置２５は、略環状形状に形成されており、外槽カバー９ａの周縁部に沿って周回するよう配置されている。
【００３２】
＜散水装置２５及び外槽カバー９ａ＞
図２は、外槽カバー９ａに組み付けた散水装置２５の正面図である。図に示すように、本実施形態の洗濯乾燥機１は、外槽カバー９ａに散水装置２５を備えている。
【００３３】
本実施形態での散水装置２５は、後述するが、洗濯水を洗濯槽である洗濯兼脱水槽８へ給水する、複数の吐出部２７（２７ａ、２７ｂ、２７ｃ、２７ｄ）を備えた給水口２６を備えている。また、散水装置２５は、樹脂で形成されているが、所定の機械的強度、加工性が得られればこれに限定されることなく、金属等の他の材料で形成することもできる。
【００３４】
図３は、外槽カバー９ａから散水装置２５を取り外した図である。図３のＷと記載された通り、給水ユニット７から給水された洗濯水は外槽カバー９ａに取り付けられた洗浄ホース１４を通り、散水装置２５の給水口２６に落ちる。その後、給水口２６に開けられた複数の吐出口２７から洗濯兼脱水槽８へと降り注がれる（散布される）。
【００３５】
また、散水装置２５は、図４に示すように、外槽カバー９ａを介して洗濯槽である洗濯兼脱水槽８の上面に取り付けられている。
【００３６】
皮脂などの油汚れの洗浄力をあげるには、洗剤濃度をあげた高濃度洗浄が有効である。洗剤濃度をあげるには、洗剤量を増やす、又は水量を下げるといった方法がある。そこでランニングコストをかけずに皮脂などの油汚れの洗浄力をあげるには、洗剤量を増加させずに、水量を下げて洗濯することがのぞましい。しかしながら、水量を下げた場合、洗濯兼脱水槽８内の洗濯物が多い場合、洗濯物の上部と下部で含水に差が生じてしまい、洗濯物の動きが遅く、洗いムラになる可能性がある。
【００３７】
そこで、本発明は、洗濯物が多い場合、洗濯兼脱水槽８内の中央部及び端部（内壁付近）に、洗濯水を早めに散布させることで、中央部で積み重なった洗濯物と端部にはり付いた洗濯物の動きがより良くなり、水量が下がった場合でも、洗濯物の上部と下部で含水に差が生じなくさせ、より早く高濃度洗浄を行うことができるようにした。具体的な発明について以下説明する。
【００３８】
図５は、洗浄ホース１４から洗濯兼脱水槽８内に降り注ぐ洗濯水の様子である。図に示すように、洗濯水は、洗濯兼脱水槽８の中央部（Ｗａ）、端部（Ｗｂ）、端部と中央部の間である中間部（Ｗｃ）に、略直線上に散布する。これにより端部だけではなく中央部まで、給水段階で洗濯槽全体に散水が可能になり、衣類全体に含水しやすくなり、洗浄時に布動きが良くなり洗いムラを抑えることができる。
【００３９】
図６は散水装置２５の給水口２６の拡大図である。洗浄ホース１４から給水された洗濯水は図中Ａの位置から図示したように流れ、複数の吐出口２７から洗濯兼脱水槽８へ散布される。複数の吐出口２７を洗濯槽の端から中央に向かって略直線上に配置する。具体的には、１ヶ所の給水口２６内に、洗濯槽である洗濯兼脱水槽８の中央部に洗濯水を散布する（図５のＷａ）第１の吐出口２７ａと、洗濯兼脱水槽８の端部に洗濯水を散布する（図５のＷｂ）第２の吐出口２７ｂと、を所定の間隔をもって略直線上に備える。これにより、水は洗濯槽の端から中央に向かって略直線上に散布され、運転中の洗濯兼脱水槽８が回転することにより衣類に満遍なく散布される。なお、図示する通り、洗濯兼脱水槽８の中央部と端部間の中間部に洗濯水を散布する（図５のＷｃ）第３の吐出口３７ｃを、第１の吐出口と第２の吐出口をつなぐ直線上に設けることで、より衣類に満遍なく散布することができる。更には、洗濯兼脱水槽８の壁に洗濯水を散布する（図５のＷｄ）第４の吐出口３７ｄを設け、高速回転した脱水後、洗濯物が遠心力で洗濯槽の壁に張りついた状態でも洗濯物に水がかかるようにする。
【００４０】
また、吐出口２７から吐出された洗濯水は、蛇口の給水圧力が０．１ＭＰａ以上で洗濯兼脱水槽８の中央部へ給水散布されるものとする。
【００４１】
このように吐出口を所定の間隔をもって略直線上に配置することで、洗濯兼脱水槽８の端から中央に向かって洗濯水を散布することができる。つまり、特殊な回転翼などを用いず、ランニングコストをかけずに、水位を下げても皮脂汚れの洗浄力を向上でき、且つ洗いムラ悪化を防ぐことができる。
【００４２】
図７に給水口２６内の吐出口２７の他の配置例を示す。散水装置２５の複数の吐出口において、洗濯槽である洗濯兼脱水槽８の中央部側の吐出口２７ａ１を２つ備えてもよい。
【００４３】
図８は図７の吐出口２７ａ１による洗濯兼脱水槽８内に降り注ぐ水の様子である。図６の吐出口２７とは異なり、槽が回転した時、洗濯槽内に満遍なく散布されるわけではないが、洗濯槽中央への散布（Ｗａ）が多くなされたことにより、より洗濯槽の中央部にある洗濯物に多くの洗濯水が注がれ、中央部にかたまった洗濯物をより早く動かすことができ、洗濯水の水位を下げ、より早く高濃度洗浄が可能となり、皮脂などの油汚れの洗浄力を向上できる。
【００４４】
図９は、給水口の吐出口２７ａ２に流路となる壁２８を設けた様子である。図に示すように、吐出口２７ｂ２の先に、吐出された洗濯水が流れる流路が形成された壁２８を設ける。壁２８はより洗濯槽の中央部へ水を導くために、洗濯槽の中央部方向へ延伸した形状となっている。これにより、吐出口２７ｂ２から吐出された水を、壁２８を伝わせることにより、水の飛距離を向上させることができる。つまり、より確実に、洗濯槽の中央部へ洗濯水を給水できる。
【符号の説明】
【００４５】
１  洗濯乾燥機
２  筐体
３  上面カバー
４  外蓋
５  開口部
６  給水ホース接続口
７  給水ユニット
８  洗濯兼脱水槽
９  外槽
９ａ  外槽カバー
１０  駆動装置
１１  洗剤投入装置
１４  洗浄ホース
２５  散水装置
２６  給水口
２７  吐出口
２８  壁
【図１】
2019201755.tif 000003
【図２】
2019201755.tif 000004
【図３】
2019201755.tif 000005
【図４】
2019201755.tif 000006
【図５】
2019201755.tif 000007
【図６】
2019201755.tif 000008
【図７】
2019201755.tif 000009
【図８】
2019201755.tif 000010
【図９】
2019201755.tif 000011